(57)【要約】【課題】  ダクトなどを垂直吊りボルトと共に斜め吊りボルトで吊り下げ支持する場合に、障害物を避けて任意方向に斜め吊りボルトを取付けられるようにする。【解決手段】  一端側に斜め吊りボルトの下端部を挿通するための挿通穴を有し、他端側に係合部を有する上部金具３０と、上部金具の前記係合部が任意方向に回転自在に係合される係合穴と、垂直吊りボルトの下端部が挿通される挿通穴を有する下部金具４０とから成り、上部金具の係合部を下部金具の係合穴にいれて係合させれば、斜め吊りボルトの下端部を上下、左右、角度自在に取付けられるようにした。【選択図】        図１
2005312164.tif 000002
【特許請求の範囲】
【請求項１】
一端側に斜め吊りボルトの下端部を挿通するための挿通穴を有し、他端側に係合部を有する上部金具と、
前記上部金具の前記係合部が任意方向に回転自在に係合される係合穴と、垂直吊りボルトの下端部が挿通される挿通穴を有する下部金具とから成る斜め吊りボルト取付け装置。
【発明の詳細な説明】
【技術分野】
【０００１】
本発明はラックなどの横揺れを防ぐ斜め吊りボルトの下端部を固定するための斜め吊りボルト取付け装置に関する。
【背景技術】
【０００２】
例えばビルディング、工場などの建造物において、ラック（あるいはダクト、その他）などを上方から垂直吊りボルトによって吊り下げ支持し、このラックなどに沿って照明器具や電気ケーブルなどを設置している。
【０００３】
即ち、図１５、１６に示すように、ラック（あるいはダクト、その他）１の下面に、溝形鋼などから成る支持材２を一定間隔で直角方向に取付け、上方の横架材、天井材（図示せず）などに上端部を固定した垂直吊りボルト３、３の下端部を、支持材２の両端に固定している。
【０００４】
そして、このように垂直吊りボルト３で上方からラック１などを吊り下げ支持する構造では、地震などによる横揺れで垂直吊りボルト３が変形、破損しないように、図１５に示すように、さらに、斜め吊りボルト４でラック１などの側方に斜めに支持するか、あるいは図１６に示すようにラック１などに沿う方向に斜めに支持している。
【０００５】
このように斜め吊りボルトの下端部を支持材に取付ける従来の取付け金具１０、２０は、図１７あるいは図１８に示す形状であって、垂直吊りボルト３の下端部を挿通して固定するための挿通穴１１ａ、２１ａを有する基板１１、２１と、この基板から斜め上方に延設された傾斜板１２、２２と、斜め吊りボルト４の下端部を挿通して固定するための挿通穴１３ａ、２３ａを有する外方へ向って延設された取付け板１３、２３を備えている（特許文献１、２）。
【０００６】
従って、図１８の取付け金具２０の場合で説明すると、図１９に示すように、支持材２の上に被せる吊り金具５の上に、この取付け金具２０の基板２１を重ねて、垂直吊りボルト３の下端部を基板２１の挿通穴２１ａと吊り金具５の挿通穴（図示せず）に挿通し、支持材２の内側で板ナット６に螺着し、ナット７を回転させることによって、吊り金具５と板ナット６間に支持材２の開口部の折曲げ縁部２ａ、２ａを挟持させて支持材２に固定する。
【０００７】
そして、斜め吊りボルト４の下端部を取付け金具２０の取付け板２３の挿通穴２３ａに挿通し、取付け板２３の表裏で斜め吊りボルトの下端部に螺着したナット８、９を締め付けて固定している。
【０００８】
しかし、施工現場でこのように斜め吊りボルト４を斜め方向に設置する場合に、この設置方向にしばしば他の障害物（例えば他の配管、ダクト、ラック、その他）が存在することがあり、これらの障害物を回避すべく斜め吊りボルト４の斜めの角度や方向を施工現場に合わせて変える必要が生じる。
【０００９】
このため、従来の取付け金具１０、２０では、図１７、図１８に示すように、基板１１、２１と傾斜板１２、２２との境界部１４、２４に沿って切欠き１５、２５を設けて手曲げ可能にしてあり、この境界部１４、２４に沿って、傾斜板１２、２２を基板１１、２１に対して手曲げして傾斜角度を調整して斜め吊りボルト４を取付けていた。
【００１０】
【特許文献１】実公平４−４８０８７の第７図
【特許文献２】実公平４−４８０８８の第６図
【発明の開示】
【発明が解決しようとする課題】
【００１１】
しかしながら、このような構造の従来の取付け金具１０、２０では、
（イ）手曲げによる角度調整には強い力を要するため、曲げ過ぎたり、曲げ足りなかったりして角度の微調整が非常に難しかった。
（ロ）このため、傾斜板を手曲げしやすいように境界部１４、２４の切欠き１５、２５を長くすると、境界部１４、２４の強度が弱くなり、また切欠き１５、２５を短くすると手曲げに大きな力が必要となり曲げにくくなっていた。
（ハ）また、基板１１、２１と傾斜板１２、２２の境界線１４、２４を中心とする回転方向（矢印で示す）にしか曲げられないため、上下、左右への自由な角度、方向の調整ができないため、障害物の回避のための作業が非常に難しくなっていた。
【００１２】
本発明はこのような問題を解決し、斜め吊りボルトの取付けを上下、左右に角度自在に調整できるようにした取付け装置を提供することを目的としている。
【課題を解決するための手段】
【００１３】
前記目的を達成するために、本発明の斜め吊りボルト取付け装置は、
一端側に斜め吊りボルトの下端部を挿通するための挿通穴を有し、他端側に係合部を有する上部金具と、
前記上部金具の前記係合部が任意方向に回転自在に係合される係合穴と、垂直吊りボルトの下端部が挿通される挿通穴を有する下部金具とから成ることを特徴としている。
【発明の効果】
【００１４】
このようにしたため、本発明では、上部金具の係合部を下部金具の係合穴にいれて係合させれば、斜め吊りボルトの下端部を上下、左右、角度自在に取付けることができる。
【発明を実施するための最良の形態】
【００１５】
以下、図面に基づいて本発明の実施形態を説明する。
図１〜８は本発明の一実施形態を示している。
【００１６】
本発明の斜め吊りボルト取付け装置は上部金具３０と下部金具４０を備えている。
図２に示すように、上部金具３０は、長板状の基板３１と、基板３１の一端側にほぼ直角に折曲げられ、ほぼ中央に斜め吊りボルト４の下端部を挿通するための挿通穴３２ａを有する取付け板３２と、基板３１の他端側から延設されたほぼＴ字状の係合部３３を備えている。
【００１７】
係合部３３は、基板３１から延設され基板３１より幅の狭い首部３３ａと、この首部３３ａからさらに延設され両側部３３ｂ′、３３ｂ′が両側外方へ突出した耳部３３ｂを備えている。耳部３３ｂは、図２に示すように下部金具４０の係合穴４３内に挿入した場合の下方への突出長さを小さくするため、首部３３ａから傾斜させてもよい。
【００１８】
下部金具４０は、矩形平板状の平板部４１と、平板部４１の幅方向の両側からほぼ直角に折曲げられた縁板部４２、４２を備えている。
【００１９】
平板部４１には、上部金具３０の前記係合部３３が任意方向に回転自在に係合される係合穴４３と、垂直吊りボルト３の下端部が挿通される挿通穴４４が長手方向に並んで設けられている。
【００２０】
係合穴４３は円形であって、その直径は前記上部金具３０の首部３３の横幅よりも大で、且つ、耳部３３ｂの横幅より小に設定されている。
この係合穴４３に耳部３３ｂを出し入れできるように、係合穴４３から隣の挿通穴４４側へ向って幅が耳部３３ｂの厚さよりも大の切欠き４５が挿通穴４４まで連なって設けられている。
【００２１】
従って、図２、図３に示すように耳部３３ｂを係合穴４３、切欠き４５、挿通穴４４に合わせて下方へ挿通させ、図４のように首部３３ａの幅方向の一端が係合穴４３の内周壁に接触するまで横にずらせば、係合穴４３から外れることなく、図５のように円形の係合穴４３の円周に沿って上部金具３０を首部３３ａを中心に回動させることができ、且つ、図８に示すように基板３１に対して垂直な方向に首部３３ａを中心に回動させることができる。
【００２２】
次にこの斜め吊りボルト取付け装置の使用について説明する。
まず、図２、図５に示すように上部金具３０の係合部３３の先端の耳部３３ｂを下部金具４０の係合穴４３に挿通して、耳部３３ｂが切欠き４５の方向とずれるように回動させて係合部３３が下部金具４０の係合穴４３から外れないようにする。
【００２３】
ラック（あるいはダクト）１の下面に一定間隔で固定した支持材２の両端部の上面に、図６、７、８に示すように吊り金具５を被せ、この吊り金具５の上に下部金具４０を、吊り金具５の中央の挿通穴と下部金具４０の挿通穴４４が一致するように乗せる。
【００２４】
次に、下端近傍に予めナット７を螺着した垂直吊りボルト３の下端部を、一致させた下部金具４０の挿通穴４４と吊り金具５の挿通穴５ａとに挿通し、支持材２の開口内部にいれた板ナット６を垂直吊りボルト３の下端部に螺着する。
【００２５】
そして、上方のナット７を回転下降させて、下側の板ナット６と上側のナット７との間で支持材２の折曲げ縁部２ａ、２ａ、吊り金具５、下部金具４０とを挟持締付けすることによって、図１、７、８に示すように垂直吊りボルト３の下端部を支持材２に固定する。ナット７が下部金具４０の上面に密着すると、図１、８に示すように下部金具４０の切欠き４５の全部あるいは一部がナット７で覆われるので、上部金具３０の係合部３３の先端の耳部３３ｂは下部金具３０の係合穴４３から離脱不能になる。
【００２６】
切欠き４５を覆いやすくするためにナット７の下端にフランジ７ａが設けられたフランジナットを用いてもよい。
【００２７】
なお、垂直吊りボルト３の下端部に板ナット６、吊り金具５、下部金具４０、上部金具３０、ナット７を仮組みしておいて、支持材２の横方向端部から板ナット６が内部にはいるように、且つ吊り金具５が上側に来るように横方向にずらした後、ナット７の締付けを行なってもよい。
【００２８】
なお、図９に示すように、先に板ナット６、吊り金具５、下部金具４０を支持材２に取付けた後、ナット７を上昇するように回転させて、切欠き４５と係合穴４３に上部金具３０の係合部３３の先端の耳部３３ａをいれて係合させ、その後、ナット７の締付けを行なってもよい。
【００２９】
このように固定すれば、上部金具３０は下部金具４０に対して図５のように水平方向にも回動でき、且つ図８のように上下方向にも回動できる。即ち、上部金具３０は下部金具４０の係合穴４３に任意の方向に回動自在に係合している。
【００３０】
従って、障害物を回避できるように斜め吊りボルト４の上端部の取付け位置を選んで上方の横架材や天井材に取付け、それに応じて上部金具３０を上下、左右に向きを合わせて、斜め吊りボルト４の下端部を取付け穴３２の挿通穴３２ａに挿通し、予め螺着したボルト８と下端部先端から螺着したボルト９との間で取付け板３２を締付けることによって、斜め吊りボルト４の下端部を固定すればよい。
【００３１】
なお、前記実施形態では下部金具４０の係合穴４３と挿通穴４４とが切欠き４５で連通した例を示したが、耳部３３ｂが出し入れできるならばこの切欠き４５を設けず、図１０に示すように係合穴４３と挿通穴４４とが一部重なるようにしてもよい。
【００３２】
また逆に、図１１に示すように、耳部３３ｂが出し入れできる長さならば、切欠き４５が挿通穴４４に連通しない長さにしてもよい。
【００３３】
なお、図１２に示すように、下部金具４０の両側の縁板部４２、４２が支持材２の両側板２ｂ、２ｂの外面上部を覆うことができる幅にして、支持材２に直接に被せるようにすれば、前記吊り金具５の使用を省くこともできる。
【００３４】
図１３、１４は斜め吊りボルトを２本取付けられるようにした本発明の実施形態を示している。
【００３５】
この実施形態では、下部金具４０の中央に垂直吊りボルト３の下端部を挿通するための挿通穴４４が設けられ、この挿通穴４４の両側に上部金具３０の係合部３３を係合するための第１、第２の係合穴４３ａ、４３ｂが設けられている。そして、第１、第２の係合穴４３ａ、４３ｂと中央の挿通穴４４とは、上部金具３０の係合部３３の先端の耳部３３ｂの出し入れを可能にする第１、第２の切欠き４５ａ、４５ｂによってが連設されている。
【００３６】
下部金具４０の両側の縁板部４２、４２には、支持材２の両側の折曲げ縁部２ａ、２ａの上端部が係合する係合凹部４６、４６が設けられている。
【００３７】
このため、図１４に示すように吊り金具５の使用を省略して支持材２の上面に下部金具４０を直接被せて、支持材２の両側の折曲げ縁部２ａ、２ａの上端部を係合凹部４６、４６に係合させることができる。
【００３８】
従って、図１の実施形態の場合と同様に、図１４に示すように、第１、第２の係合穴４３ａ、４３ｂに、それぞれ上部金具３０、３０の各係合部３３、３３を任意の方向に回動自在に係合させることができる。
【００３９】
そして、垂直吊りボルト３の下端に板ナット６を螺着し、ナット７の締付けによって、上側のナット７と下側の板ナット６の間に折曲げ縁部２ａ、２ｂ及び下部金具４０とを挟持固定して、支持材２に垂直吊りボルト３の下端部を固定し、２本の斜め吊りボルト４、４の下端部を同様に上部金具３０、３０の取付け板３２、３２にナット８、９によって固定することができる。
【００４０】
なお、吊り金具５を用いて、吊り金具５の上に下部金具４０を重ねてナット７の締付けによって固定してもよいことは勿論である。
【００４１】
また、図１０のように切欠き４５を設けないようにしたり、逆に図１１のように切欠き４５が中央の挿通穴４４に連通しないようにしてもよいことは勿論である。
【図面の簡単な説明】
【００４２】
【図１】本発明の一実施形態の使用状態を示す斜視図
【図２】同実施形態を示す斜視図
【図３】同実施形態の係合穴と係合部の関係を示す平面図
【図４】同実施形態の係合穴と係合部の関係を示す平面図
【図５】同実施形態の係合穴と係合部の関係を示す平面図
【図６】吊り金具の使用状態を示す斜視図
【図７】同実施形態の垂直吊りボルトの下端部の支持材への固定状態を示す断面図
【図８】同実施形態の使用状態を示す断面図
【図９】同実施形態の使用状態を示す斜視図
【図１０】下部金具の他の実施形態を示す平面図
【図１１】下部金具の他の実施形態を示す平面図
【図１２】下部金具の他の実施形態を示す断面図
【図１３】本発明の他の実施形態を示す斜視図
【図１４】同実施形態の使用状態を示す断面図
【図１５】ダクトの垂直吊りボルト及び斜め吊りボルトによる支持状態を示す斜視図
【図１６】ダクトの垂直吊りボルト及び斜め吊りボルトによる支持状態を示す斜視図
【図１７】従来の吊りボルト下端部の取付け金具を示す斜視図
【図１８】従来の吊りボルト下端部の取付け金具を示す斜視図
【図１９】従来の吊りボルト下端部の取付け状態を示す説明図
【符号の説明】
【００４３】
１  ラック
２  支持材
３  垂直吊りボルト
４  斜め吊りボルト
５  吊り金具
６  板ナット
７、８、９  ナット
３０  上部金具
３２  取付け板
３３  係合部
３３ｂ  耳部
４０  下部金具
４３  係合穴
４４  挿通穴
４５  切欠き
【図１】
2005312164.tif 000003
【図２】
2005312164.tif 000004
【図３】
2005312164.tif 000005
【図４】
2005312164.tif 000006
【図５】
2005312164.tif 000007
【図６】
2005312164.tif 000008
【図７】
2005312164.tif 000009
【図８】
2005312164.tif 000010
【図９】
2005312164.tif 000011
【図１０】
2005312164.tif 000012
【図１１】
2005312164.tif 000013
【図１２】
2005312164.tif 000014
【図１３】
2005312164.tif 000015
【図１４】
2005312164.tif 000016
【図１５】
2005312164.tif 000017
【図１６】
2005312164.tif 000018
【図１７】
2005312164.tif 000019
【図１８】
2005312164.tif 000020
【図１９】
2005312164.tif 000021